(57)【要約】【課題】  加締工程で軸受部材に必要以上の力が加わっても常にスムーズなピストンロッドの動きを確保できると共に、異音や耐久性低下のない軸受部材を備えたガススプリングを提供する。【解決手段】  シリンダ体２と、このシリンダ体２に出没自在に挿入されるピストンロッド３と、このピストンロッド３の基端側に設けられて上記シリンダ体２をロッド側室とピストン室に区画するピストンと、シリンダ開口端部に配置されて内周面６で上記ピストンロッド３を摺動自在に軸支する合成樹脂製の軸受部材４と、この軸受部材４に隣接して配置された環状のシール部材７とを備え、上記シリンダ体２の先端を内側へ折り曲げて加締めることで、上記軸受部材４及びシール部材７を所定位置に位置決め固定するガススプリングにおいて、上記した加締工程で発生する内側方向への力で上記軸受部材４の内周面６が変形するのを防止する変形防止部５を、この軸受部材４に設けた。【選択図】        図１
2006071047.tif 000002
【特許請求の範囲】
【請求項１】
シリンダ体と、このシリンダ体に出没自在に挿入されるピストンロッドと、このピストンロッドの基端側に設けられて上記シリンダ体をロッド側室とピストン室に区画するピストンと、シリンダ開口端部に配置されて内周面で上記ピストンロッドを摺動自在に軸支する合成樹脂製の軸受部材と、この軸受部材に隣接して配置された環状のシール部材とを備え、上記シリンダ体の先端を内側へ折り曲げて加締めることで、上記軸受部材及びシール部材を所定位置に位置決め固定するガススプリングにおいて、上記した加締工程で発生する内側方向への力で上記軸受部材の内周面が変形するのを防止する変形防止部を、この軸受部材に設けたことを特徴とするガススプリング。
【請求項２】
変形防止部は断面Ｕ字状又は断面Ｖ字状をなす環状溝であり、軸受部材のシリンダ開口端側面に設けられている請求項１記載のガススプリング。
【請求項３】
変形防止部は軸受部材のシリンダ開口端側面からその裏面側に向かって穿設された複数の凹部であり、円周方向に均等間隔で設けられている請求項１記載のガススプリング。
【請求項４】
変形防止部は軸受部材のシリンダ開口端側面からその裏面側に向かって穿設された複数の貫通孔であり、円周方向に均等間隔で設けられている請求項１記載のガススプリング。
【請求項５】
変形防止部は軸受部材の外周面のシリンダ開口端側及び裏面側を切欠いて形成された凹溝である請求項１記載のガススプリング。
【請求項６】
変形防止部は軸受部材の内周面のシリンダ開口端側端部に形成された外側程拡径する傾斜面である請求項１記載のガススプリング。
【発明の詳細な説明】
【技術分野】
【０００１】
本発明は、ガススプリングに関わり、詳しくは、その軸受部材の改良に関する。
【背景技術】
【０００２】
例えば、車両におけるトランクやハッチバックドア等の開放動作をアシストするガススプリングとしては、特許文献１に示すものを例示することができる。
【０００３】
このガススプリング３１は、図８に示すように、シリンダ体３２と、このシリンダ体３２に出没自在に挿入されるピストンロッド３３と、このピストンロッド３３の基端側に設けられて上記シリンダ体３２をロッド側室とピストン室に区画するピストン（図示なし）と、シリンダ開口端部に軽圧入されて内周面で上記ピストンロッド３３を摺動自在に軸支する軸受部材としての環状のベアリング３４と、このベアリング３４の下面に隣接して軽圧入された環状のシール部材３７と、このシール部材３７から下方に離間して加締め固定された同じく環状のリテーナ４１とを備えている。
【０００４】
そして、このように構成されたガススプリング３１は、シリンダ体３２の先端を内側へ折り曲げて加締めることで、上記ベアリング３４及びシール部材３７を所定位置に位置決め固定すると共に、シリンダ体３２内に高圧のガスを封入することで、ピストンにおけるロッド側室面とピストン室側面との面積差で、シリンダ体３２からピストンロッド３３が突出する伸長方向に常に附勢されるようになっている。
【特許文献１】特開平２００２−３７２０８７号（図３）
【発明の開示】
【発明が解決しようとする課題】
【０００５】
上記のように構成されたガススプリング３１の構造においては、特に問題がある訳ではないが、以下に示す合成樹脂製のベアリング３４を採用する場合、このベアリング３４特有の課題の発生が考えられる。
【０００６】
即ち、合成樹脂は、金属に比較して軽いので、ガススプリング３１自体の軽量化には大きく寄与するというメリットがあるが、金属に比較して変形し易いと言うデメリットもある。
【０００７】
従って、この合成樹脂製のベアリングを使用した場合、上記したシリンダ体３２の先端を内側へ折り曲げて加締める加締工程で、その折曲部３８に加工誤差等に起因する内側方向への必要以上の力Ｆが加わったときには、この力Ｆでシリンダ体３２が縮径方向に変形する。
【０００８】
すると、シリンダ体３２に圧入されたベアリング３４も縮径方向の力を受けるので、具体的には、ベアリング３４の内周面３６が部分的、或いは全体的に縮径方向へ変形する。
【０００９】
このため、ベアリング３４内を摺動するピストンロッド３３の摺動抵抗が増加し、ピストンロッド３３のスムーズな動きを妨げたり、異音やベアリング３４自体の耐久性低下の原因になったりすることが考えられる。
【００１０】
そこで、本発明は、上記の問題点を解決するために創案されたものであって、その目的は、加締工程で軸受部材に必要以上の力が加わっても常にスムーズなピストンロッドの動きが確保できると共に、異音や耐久性低下のない軸受部材を備えたガススプリングを提供することである。
【課題を解決するための手段】
【００１１】
上記の目的を達成するため、本発明は、シリンダ体と、このシリンダ体に出没自在に挿入されるピストンロッドと、このピストンロッドの基端側に設けられて上記シリンダ体をロッド側室とピストン室に区画するピストンと、シリンダ開口端部に配置されて内周面で上記ピストンロッドを摺動自在に軸支する合成樹脂製の軸受部材と、この軸受部材に隣接して配置された環状のシール部材とを備え、上記シリンダ体の先端を内側へ折り曲げて加締めることで、上記軸受部材及びシール部材を所定位置に位置決め固定するガススプリングにおいて、上記した加締工程で発生する内側方向への力で上記軸受部材の内周面が変形するのを防止する変形防止部を、この軸受部材に設けたことを特徴とするものである。
【発明の効果】
【００１２】
本発明によれば、シリンダ体の先端を内側へ折り曲げて加締める加締工程において発生する内側方向への力のうち、加工誤差等に起因する内側方向への必要以外の力がシリンダ体を介して軸受部材に加わっても、この軸受部材に設けた変形防止部によって内周面への影響を防止できる。
【００１３】
従って、従来のように、必要以外の力で軸受部材の内周面が部分的、或いは全体的に縮径方向へ変形し、その結果、軸受部材内を摺動するピストンロッドの摺動抵抗が増加し、ピストンロッドのスムーズな動きを妨げたり、異音や軸受部材自体の耐久性低下の原因になったりすることを確実に防止できる。
【発明を実施するための最良の形態】
【００１４】
以下に、本発明を自動車のバックドアに使用されるガススプリングに具体化した実施の形態を図に基づいて説明する。
【００１５】
図１は、ガススプリング１の軸受部分を示し、シリンダ体２と、このシリンダ体２に出没自在に挿入されるピストンロッド３と、このピストンロッド３の基端側に設けられて上記シリンダ体２をロッド側室とピストン室に区画するピストン（図示せず）と、シリンダ開口端部に軽圧入されて内周面６で上記ピストンロッド３を摺動自在に軸支する軸受部材としての環状のベアリング４と、このベアリング４の下面に隣接して軽圧入された環状のシール部材７と、このシール部材７から下方に離間して加締め固定された同じく環状のリテーナ１１とを備えている。
【００１６】
そして、このように構成されたガススプリング１は、シリンダ体２の先端を内側へ折り曲げて可締めることで、上記ベアリング４及びシール部材７を所定位置に位置決め固定すると共に、シリンダ体２内に高圧のガスを封入することで、ピストンにおけるロッド側室面とピストン室側面との面積差で、シリンダ体２からピストンロッド３が突出する伸長方向に常に附勢されるようになっている。
【００１７】
以下に詳述すると、上記ベアリング４は、ガラス繊維が充填された６ナイロン或いは６６ナイロンと呼ばれる合成樹脂により形成されており、シリンダ開口端部側となる上面には本発明の変形防止部材としての断面Ｖ字状をなす１条の環状溝５が形成されている。この環状溝５は上記ベアリング４が成形される際に一体形成されているが、環状溝５のないベアリング４を形成した後にこの環状溝５を形成するようにしても良い。
【００１８】
この環状溝５は、上記した加締工程で発生する内側方向への力のうち、加工誤差等に起因する必要以上の力がシリンダ体２に加わったとき、上記ベアリング４の内周面６が変形した状態となるのを防止するためのものである。
【００１９】
従って、例えば、シリンダ体２の折曲部１２に上記した内側方向への必要以上の力が加わり、この部分が縮径方向に変形すると、シリンダ体２に圧入されたベアリング４も縮径方向の力を受けるので、具体的には、ベアリング４の内周面６が部分的、或いは全体的に縮径方向へ変形する。
【００２０】
そこで、上記縮径方向の力をベアリング４に形成した環状溝５が潰れることで吸収し、内周面６が変形しないようになっている。
【００２１】
シール部材７は、ピストンロッド３の外周に摺接する環状の内周リップ８と、この内周リップ８と一体形成されたインサートメタル９と、インサートメタル９の外周側下面に同じく一体形成された下方に向かって伸びる筒状の外周リップ１０とから構成されている。
【００２２】
このように構成されたガススプリング１は、図２に示すように、その加締工程において発生する内側方向への力のうち、加工誤差等に起因する内側方向への必要以外の力Ｆがシリンダ体を介して上記ベアリング４に加わった場合でも、上記ベアリング４に設けた環状溝５が潰れることでこの力Ｆを吸収する。
【００２３】
従って、従来のように、この必要以外の力Ｆでベアリング４の内周面が部分的、あるいは、全体的に縮径方向へ変形し、その結果、ベアリング４内を摺動するピストンロッド３の摺動抵抗が増加し、ピストンロッド３のスムーズな動きを妨げたり、異音やベアリング４自体の耐久性低下の原因になったりすることを確実に防止できる。
【００２４】
又、本実施の態様では、変形防止部として環状溝５を形成したので、加締工程で発生する必要以上の力Ｆがガススプリング１の外周面のどの部分から加わっても対応することができる。
【００２５】
尚、本発明は、上記の実施の形態に限定されるものではなく、例えば、次のように変更して具体化することも可能である。
【００２６】
１）本実施の形態では、変形防止部として断面Ｖ字状の環状溝５としたが、これに限定されるものではなく、断面Ｕ字状でも良い。
【００２７】
２）本実施の形態では、変形防止部として断面Ｖ字状の環状溝５としたが、これに限定されるものではなく、例えば、図３に示すように、ベアリング４のシリンダ開口端側面からその裏面側に向かって穿設された複数の凹部１３でも良い。
【００２８】
このとき、上記凹部１３を円周方向に均等間隔で設けると、加締工程で発生する必要以上の力Ｆがガススプリング１の外周面のどの部分から加わっても対応することができる。
【００２９】
３）図４に示すように、ベアリング４のシリンダ開口端側面からその裏面側に向かって穿設された複数の貫通孔１４を設け、この貫通孔１４を変形防止部としても良い。
【００３０】
この場合も、貫通孔１４を円周方向に均等間隔で設けると、加締工程で発生する力がガススプリング１の外周面のどの部分から加わっても対応することができる。
【００３１】
又、図４に示す貫通孔１４とする場合、シリンダ体２内のガスが漏れる心配があるので、図５に示すような反対側面へ貫通しない程度の深さの凹部１５としても良い。
【００３２】
この場合、ベアリング４のシリンダ開口端側面及びその裏面に凹部１５が存在するので、組付時の誤組付けを防止することができる。
【００３３】
又、凹部１５が深いので、合成樹脂製のベアリング４自体の熱膨張よる変形をも容易に吸収することができる。
【００３４】
４）図６に示すように、ベアリング４の外周面のシリンダ開口端側及び裏面側を切欠いて凹溝１６を形成し、この凹溝１６を変形防止部としても良い。
【００３５】
５）図７に示すように、ベアリング４の内周面のシリンダ開口端側端部に外側程拡径する傾斜面１７を形成し、この傾斜面１７を変形防止部としても良い。
【００３６】
６）本実施の形態では、自動車のバックドアに使用されるガススプリング１を示したが、これに限定されるものではなく、一般的なガススプリングに具体化しても良い。
【図面の簡単な説明】
【００３７】
【図１】本発明をガススプリングに具体化した軸受部分の要部断面図である。
【図２】図１において、環状溝が弾性変形した状態を示す要部断面図である。
【図３】本発明の別例を示すベアリングの断面図である。
【図４】同じく本発明の別例を示すベアリングの断面図である。
【図５】同じく本発明の別例を示すベアリングの断面図である。
【図６】同じく本発明の別例を示すベアリングの断面図である。
【図７】同じく本発明の別例を示すガススプリングの軸受部分における要部断面図である。
【図８】従来例を示すガススプリングの軸受部分を示す要部断面図である。
【符号の説明】
【００３８】
１  ガススプリング
２  シリンダ体
３  ピストンロッド
４  ベアリング（軸受部材）
５  環状溝（変形防止部）
６  内周面
１３  凹部（変形防止部）
１４  貫通孔（変形防止部）
１５  凹部（変形防止部）
１６  凹溝（変形防止部）
１７  傾斜面（変形防止部）
【図１】
2006071047.tif 000003
【図２】
2006071047.tif 000004
【図３】
2006071047.tif 000005
【図４】
2006071047.tif 000006
【図５】
2006071047.tif 000007
【図６】
2006071047.tif 000008
【図７】
2006071047.tif 000009
【図８】
2006071047.tif 000010